(57)【特許請求の範囲】
【請求項１】
複数枚のウェットティッシュを重畳状態で収容するとともに、上面にウェットティッシュ取出し用開口部を形成してなるウェットティッシュ収容容器の前記取出口構造であって、
前記ウェットティッシュ取出し用開口部に、ウェットティッシュへの接触係合部分が平面的に相対向するように、開口部の周囲から内方側に向けて２組のフラップを延設するとともに、これら２組のフラップは相対向するフラップ同士の形状を夫々異ならせ、かつ対角に位置するフラップ同士を同形状とすべく平面視で開口部の中心点に関して点対称に形成してあることを特徴とするウェットティッシュ収容容器の取出口構造。
【請求項２】
前記２組のフラップ間に、平面視で開口部中心を通る左右方向の中心線を挟んで一方側に位置する指先挿入半空間と、他方側に位置する指先挿入半空間とによって指先挿入空間を形成するとともに、これら指先挿入半空間をそれぞれ左右互い違いの方向に所定距離だけ偏倚させて形成してある請求項１記載のウェットティッシュ収容容器の取出口構造。
【請求項３】
前記相対向するフラップは共に可撓性を有し、かつ弾性変形性能をそれぞれ異ならせている請求項１、２いずれかに記載のウェットティッシュ収容容器の取出口構造。
【請求項４】
前記相対向するフラップ間において、ウェットティッシュへの接触係合部分の幅寸法をそれぞれ異ならせてある請求項１〜３いずれかに記載のウェットティッシュ収容容器の取出口構造。
【請求項５】
前記相対向するフラップ間において、ウェットティッシュへの接触係合部分の離間幅が１０mm以下である請求項１〜４いずれかに記載のウェットティッシュ収容容器の取出口構造。
【請求項６】
ウェットティッシュの重畳構造は、各ウェットティッシュの上部側折り畳み部分の折り返し方向が手前側方向のものと向側方向のものとが混在している重畳構造である請求項１〜５いずれかに記載のウェットティッシュ収容容器の取出口構造。
【請求項７】
ウェットティッシュの重畳構造は、各ウェットティッシュが中央線を折り目として約半分に折り畳まれ、ウェットティッシュを１枚づつ交互に対向させ、上側に重ね合わされるウェットティッシュの下部分と、下側に重ね合わされるウェットティッシュの上部分とを重ね合わせるようにした重畳構造とされる請求項１〜５いずれかに記載のウェットティッシュ収容容器の取出口構造。
【請求項８】
ウェットティッシュの重畳構造は、各ウェットティッシュがほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分、この上部分に隣接する中間を中部分、残りを下部分として、下側に重ね合わされるウェットティッシュの前記上部分のほぼ先端側半分が、上側に重ね合わされるウェットティッシュの前記上部分と中部分とによって挟まれながら、順次ウェットティッシュが積み重ねられた重畳構造とされる請求項１〜５いずれかに記載のウェットティッシュ収容容器の取出口構造。
【請求項９】
ウェットティッシュの重畳構造は、中央線を折り目として約半分に折り畳まれた第１ウェットティッシュと、外側部分がそれぞれ反対面側に折り返され断面Ｚ状とされる第２ウェットティッシュとが積層方向に交互に配列されるとともに、前記第１ウェットティッシュの上側部分のほぼ先端側半分が前記第２ウェットティッシュの断面Ｚ形状を構成する下側の折返し部分と中間部分との間に挟まれ、かつ前記第１ウェットティッシュの下側部分のほぼ先端側半分が前記第２ウェットティッシュの断面Ｚ形状を構成する上側折返し部分と中間部分とに挟まれながら順次積み重ねられている重畳構造とされる請求項１〜５いずれかに記載のウェットティッシュ収容容器の取出口構造。
【発明の詳細な説明】
【０００１】
【発明の属する技術分野】
本発明は、ウェットティッシュ収容容器に関し、詳しくはウェットティッシュシートの重畳状態に拘わらず常に良好な引出しを可能とするウェットティッシュ収容容器の取出口構造に関する。
【０００２】
【従来の技術】
近年、濡れふきんやお尻拭きなどとして多用されているウェットティッシュは、未使用時或いは不使用時に湿潤状態を維持するために、気密とされた容器内に又は詰め替え用の包装袋内に収容された状態で前記容器内に、所定枚数分だけ折り畳まれた状態で収容されている。この種のウェットティッシュにおいては、上下段のウェットティッシュが互いに重ね部分を持ちながら積み重ねられており、最上部のウェットティッシュを容器から取り出すと、次のウェットティッシュが取り出し易いように、容器の取出口よりその一部が突出する、所謂ポップアップ方式の重畳構造が採用されている。
【０００３】
上記ポップアップ方式を採用したウェットティッシュの重畳構造としては、従来より次の４つの構造が知られている。先ず第１の重畳構造は、図７に示されるように、各ウェットティッシュ５０，５０…がウェットティッシュ５０の中央線を折り目として約半分に折り畳まれ、ウェットティッシュ５０，５０…を１枚づつ交互に対向させ、上側に重ね合わされるウェットティッシュの下部分５１と、下側に重ね合わされるウェットティッシュの上部分５２とを順次重ね合わせるようにした重畳構造である。
【０００４】
第２の重畳構造は、図８に示されるように、ウェットティッシュ６０における外側部分をそれぞれ反対面側に折り返して断面Ｚ状とし、このように折り畳まれた複数のウェットティッシュ６０，６０…を、その中央部分６１，６１…が整然と並ぶように、かつ上側に重ね合わされるウェットティッシュの下部分６２の一部と、下側に重ね合わされるウェットティッシュの上部分６３の一部とが重なり合うように、順次重ね合わせてなる重畳構造である。
【０００５】
第３の重畳構造は、図９に示されるように、各ウェットティッシュ７０がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分７１、この上部分に隣接する中間を中部分７２、残りを下部分７３として、下側に重ね合わされるウェットティッシュの前記上部分７１のほぼ先端側半分が、上側に重ね合わされるウェットティッシュの前記上部分７１と中部分７２とによって挟まれながら、順次ウェットティッシュが積み重ねられている重畳構造である。
【０００６】
第４の重畳構造は、図１０に示されるように、中央線を折り目として約半分に折り畳まれた第１ウェットティッシュ８０と、外側部分がそれぞれ反対面側に折り返され断面Ｚ状とされる第２ウェットティッシュ９０とが積層方向に交互に配列されるとともに、前記第１ウェットティッシュ８０の上側部分８０ａのほぼ先端側半分が前記第２ウェットティッシュ９０の断面Ｚ形状を構成する下側の折返し部分９０ｃと中間部分９０ｂとの間に挟まれ、かつ前記第１ウェットティッシュ８０の下側部分８０ｂのほぼ先端側半分が前記第２ウェットティッシュ９０の断面Ｚ形状を構成する上側折返し部分９０ａと中間部分９０ｂとに挟まれながら順次積み重ねられている重畳構造である。
【０００７】
前記第１〜第４の重畳構造の内、第１の重畳構造、第３の重畳構造および第４の重畳構造の利点としては、ウェットティッシュ重畳体の嵩高が低くなること、その結果ウェットティッシュ容器がコンパクト化できる点を挙げることができ、さらに第３の重畳構造および第４の重畳構造の場合には前記利点に加えて、引出し時の抵抗が少ないことを挙げることができる。
【０００８】
一方、ウェットティッシュ収容容器の取出口の構造としては種々の構造のものが提案されている。たとえば特開平11-180460号公報には、図１１に示されるように、容器上板から取出口側へ延設した一対の第１フラップ９５，９５と、各々が第１フラップ９５，９５に対向する一対の第２フラップ９６，９６とを設けた取出口構造が開示されている。前記第１フラップ９５，９５および第２フラップ９６，９６は、図示上下方向中心線Ｌに対して左右対称に形成されているとともに、相対向する第１フラップ９５，９５と第２フラップ９６，９６とのフラップの内、相対的に上側に位置する第１フラップ９５，９５の張出長を長くして、弾性変形し易いようにしている。したがって、かかるウェットティッシュの取出口構造は、ウェットティッシュの引出しに方向性を有する構造、具体的には折り畳まれた各ウェットティッシュの上側部分の配向方向が常に手前側方向となり、斜め上方に向かってウェットティッシュを引き出すのに適した構造となっている。
【０００９】
【発明が解決しようとする課題】
ところで、ウェットティッシュの重畳構造との関係で取出口構造について考察してみると、前述した４種類のウェットティッシュ重畳構造の内、第２の重畳構造は、常に取り出されるウェットティッシュの折り畳み断面形状は一定であり、前述した特開平11-180460号公報に記載されるように、ウェットティッシュの引出しに方向性を有するウェットティッシュ容器と組み合わせた場合であっても、ウェットティッシュ取出し時に常に同じ抵抗力となり、良好にウェットティッシュの引出しが行えるようになる。
【００１０】
しかし、第１の重畳構造、第３の重畳構造および第４の重畳構造は、取り出す度にウェットティッシュの折り畳み断面形状が交互に対称形になるなど、各ウェットティッシュの上部側折り畳み部分の折り返し方向が手前側方向のものと向側方向のものとが混在している重畳構造であるため、前記特開平11-180460号公報に記載されるウェットティッシュ容器と組み合わせた場合、仮にウェットティッシュを取り出す方向が同じであっても、取出し時の抵抗が夫々異なるようになるため、ウェットティッシュが過度に突出した状態となったり、ウェットティッシュが破れてしまったり、或いは収容されているウェットティッシュの残り枚数が少ないと、容器全体が持ち上がってしまいウェットティッシュが取り出し難くなるなどの問題があった。加えて、ウェットティッシュの取出し方向が夫々異なる場合には、ウェットティッシュの折り畳み断面形状との関係で、前述した問題点がより顕著に現れる場合があるなどの問題があった。
【００１１】
そこで本発明の主たる課題は、ウェットティッシュの重畳構造や引出し方向に拘わらず、常に良好な引出しを可能とするウェットティッシュ収容容器の取出口構造等を提供することにある。
【００１２】
【課題を解決するための手段】
前記課題を解決するために請求項１に係る本発明として、複数枚のウェットティッシュを重畳状態で収容するとともに、上面にウェットティッシュ取出し用開口部を形成してなるウェットティッシュ収容容器の前記取出口構造であって、
前記ウェットティッシュ取出し用開口部に、ウェットティッシュへの接触係合部分が平面的に相対向するように、開口部の周囲から内方側に向けて２組のフラップを延設するとともに、これら２組のフラップは相対向するフラップ同士の形状を夫々異ならせ、かつ対角に位置するフラップ同士を同形状とすべく平面視で開口部の中心点に関して点対称に形成してあることを特徴とするウェットティッシュ収容容器の取出口構造が提供される。
【００１３】
上記請求項１記載の発明においては、ウェットティッシュ取出口がウェットティッシュの引出しに方向性を有しない形状、すなわち手前側斜め上方に引き出しても、真上に引き出しても、さらには奥側斜め上方に引き出してもフラップによる抵抗は同じになるため、ウェットティッシュの重畳構造や引出し方向に拘わらず、常に良好な引出しを可能とする。
【００１４】
請求項２に係る本発明として、前記２組のフラップ間に、平面視で開口部中心を通る左右方向の中心線を挟んで一方側に位置する指先挿入半空間と、他方側に位置する指先挿入半空間とによって指先挿入空間を形成するとともに、これら指先挿入半空間をそれぞれ左右互い違いの方向に所定距離だけ偏倚させて形成してある請求項１記載のウェットティッシュ収容容器の取出口構造が提供される。
【００１５】
上記請求項２記載の発明では、右手の親指と人差し指とが挿入し易いように、指先挿入空間を斜め方向に沿って形成するようにしたため、万が一、ウェットティッシュが容器内に没入した場合であっても、取出口から指先を挿入してウェットティッシュを容易に取り出すことができるようになる。
【００１６】
請求項３に係る本発明として、前記相対向するフラップは共に可撓性を有し、かつ弾性変形性能をそれぞれ異ならせている請求項１、２いずれかに記載のウェットティッシュ収容容器の取出口構造が提供される。
【００１７】
請求項４に係る本発明として、前記相対向するフラップ間において、ウェットティッシュへの接触係合部分の幅寸法をそれぞれ異ならせてある請求項１〜３いずれかに記載のウェットティッシュ収容容器の取出口構造が提供される。
【００１８】
請求項５に係る本発明として、前記相対向するフラップ間において、ウェットティッシュへの接触係合部分の離間幅が１０mm以下である請求項１〜４いずれかに記載のウェットティッシュ収容容器の取出口構造が提供される。
【００１９】
請求項６に係る本発明として、ウェットティッシュの重畳構造は、各ウェットティッシュの上部側折り畳み部分の折り返し方向が手前側方向のものと向側方向のものとが混在している重畳構造である請求項１〜５いずれかに記載のウェットティッシュ収容容器の取出口構造が提供される。
【００２０】
請求項７に係る本発明として、ウェットティッシュの重畳構造は、各ウェットティッシュが中央線を折り目として約半分に折り畳まれ、ウェットティッシュを１枚づつ交互に対向させ、上側に重ね合わされるウェットティッシュの下部分と、下側に重ね合わされるウェットティッシュの上部分とを重ね合わせるようにした重畳構造とされる請求項１〜５いずれかに記載のウェットティッシュ収容容器の取出口構造が提供される。
【００２１】
請求項８に係る本発明として、ウェットティッシュの重畳構造は、各ウェットティッシュがほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分、この上部分に隣接する中間を中部分、残りを下部分として、下側に重ね合わされるウェットティッシュの前記上部分のほぼ先端側半分が、上側に重ね合わされるウェットティッシュの前記上部分と中部分とによって挟まれながら、順次ウェットティッシュが積み重ねられた重畳構造とされる請求項１〜５いずれかに記載のウェットティッシュ収容容器の取出口構造が提供される。
【００２２】
請求項９に係る本発明として、ウェットティッシュの重畳構造は、中央線を折り目として約半分に折り畳まれた第１ウェットティッシュと、外側部分がそれぞれ反対面側に折り返され断面Ｚ状とされる第２ウェットティッシュとが積層方向に交互に配列されるとともに、前記第１ウェットティッシュの上側部分のほぼ先端側半分が前記第２ウェットティッシュの断面Ｚ形状を構成する下側の折返し部分と中間部分との間に挟まれ、かつ前記第１ウェットティッシュの下側部分のほぼ先端側半分が前記第２ウェットティッシュの断面Ｚ形状を構成する上側折返し部分と中間部分とに挟まれながら順次積み重ねられている重畳構造とされる請求項１〜５いずれかに記載のウェットティッシュ収容容器の取出口構造が提供される。
【００２３】
【発明の実施の形態】
以下、本発明の実施の形態について図面を参照しながら詳述する。
図１は本発明に係るウェットティッシュ取出口構造を有するウェットティッシュ収容容器１の斜視図であり、図２はウェットティッシュ取出口５の平面図である。
【００２４】
図１に示されるウェットティッシュ収容容器１は、底面が開口とされるウェットティッシュ容器本体２と、このウェットティッシュ容器本体２の底部に着脱自在に取り付けられる底蓋３とからなるもので、前記ウェットティッシュ収容容器２の上面には略矩形状の浅凹部２ａが形成されているいるとともに、この浅凹部２ａの略中央部に楕円形状に設けられた開口部（図示せず）の上面に対して同じく外形が楕円状を成し、内部に本発明に従って設けられたウェットティッシュ取出口５を有する中蓋板６が設けられ、かつ平時（未使用時）は前記取出口５を封鎖するために、一側辺側を回動支点として開閉自在とされる蓋体４が取り付けられている。前記蓋体４の内面側には楕円形状に起立壁４ａが設けられ、蓋封鎖時に前記起立壁４ａの先端が前記中蓋板６の周縁に密着することにより気密性が確保され、ウェットティッシュが湿潤状態に維持されるようになっている。
【００２５】
以下、前記中蓋板６に形成されたウェットティッシュ取出口５の構造について、図２に基づいて詳述する。
【００２６】
前記ウェットティッシュ取出口５は、ウェットティッシュへの接触係合部分７ａ、８ａが平面的に相対向するように、開口部の周囲から内方側に向けて２組のフラップ７Ａ、８Ａとフラップ７Ｂ、８Ｂを延設するとともに、これら２組のフラップ７Ａ、８Ａ・７Ｂ、８Ｂは相対向するフラップ同士７Ａ、８Ａ（７Ｂ、８Ｂ）の形状を夫々異ならせ、かつ対角に位置するフラップ同士を同形状とすべく平面視で左右方向中心線Ｘと縦方向中心線Ｙとが交差する開口部中心点Ｏに関して点対称に形成した構造となっている。
【００２７】
したがって、縦方向中心線Ｙを境に図面右方側に位置するフラップ７Ａ、８Ａとについて代表的に詳述すると、前記フラップ７Ａ、８Ａは共に、開口部の周囲から内方側に向けて延設された薄片によって形成されるとともに、ウェットティッシュの取出し時に、ウェットティッシュに接触する部分となる接触係合部分７ａ、８ａをそれぞれ所定距離Ｓだけ離間した状態で平面的に対向させた構造となっている。
【００２８】
前記フラップ７Ａ、８Ａは共に可撓性を有し、ウェットティッシュの引出し時に引出し抵抗力によって反り返り方向（上方向側）に弾性変形し、ウェットティッシュに適度の引掛り力を与えることにより、最上部のウェットティッシュを容器から取り出すと、次のウェットティッシュが取り出し易いように、容器の取出口よりその一部が突出する、所謂ポップアップ方式を実現する構造となっている。また、その引掛り力は少なくともウェットティッシュ収容容器の重量以下とされ、最後のウェットティッシュを取り出す際にも容器が持ち上がらないように設定されている。
【００２９】
ところで、前記相対向するフラップ７Ａの接触係合部分７ａと、フラップ８Ａの接触係合部分８ａとの離間幅Ｓは１０mm以下に設定するのが望ましい。離間幅Ｓが１０mmを超える場合にはウェットティッシュ取出し時の抵抗が小さ過ぎて次のウェットティッシュが取出口５から出過ぎてしまうことになる。
【００３０】
また、前記フラップ７Ａの接触係合部分７ａの幅寸法Ｂ１と、フラップ８Ａの接触係合部分８ａの幅寸法Ｂ２とはそれぞれ異ならせるのが望ましい。図示の例ではフラップ７Ａ側の幅寸法Ｂ１をフラップ８Ａ側の幅寸法Ｂ２に比較して相対的に大きくしてある。ウェットティッシュの取出し時には、相対的に幅寸法の大きいフラップ７Ａ側がウェットティッシュ引出し用ガイド面となり、相対的に幅寸法の小さいフラップ８Ａ側がウェットティッシュの引出しを抑えるようにして引出し抵抗を与えるようになっている。前記フラップ７Ａ側の幅寸法Ｂ１はフラップ８Ａ側の幅寸法Ｂ２に対して２〜３倍とするのが望ましく、かつ両者の接触係合部分７ａ、８ａは弧状に形成するのが望ましい。
【００３１】
さらに、前記フラップ７Ａとフラップ８Ａとの弾性変形性能は、ウェットティッシュの取出し易さおよび引出し抵抗力に大きな影響を与える因子となる。それぞれのフラップ７Ａ、８Ａの弾性変形性能は、フラップの断面形状、すなわちフラップの幅寸法および厚みから決定される断面係数、張出長（Ｌ１、Ｌ２）、弾性率などの複数のファクターによって決定されるが、フラップ７Ａとフラップ８Ａとの弾性変形性能をそれぞれ異ならせることにより、ウェットティッシュを引き出す際に、一方のフラップが他方のフラップよりも大きく変形することにより、ウェットティッシュの取出し易さが向上するようになる。
【００３２】
一方、前記２組のフラップ７Ａ、８Ａとフラップ７Ｂ、８Ｂとの間には、万が一、ウェットティッシュの一部が外部に突出することなく、容器内に没入した場合に備えて、指先を挿入してウェットティッシュを取り出せるように指先挿入空間９が形成されている。この指先挿入空間９は、平面視で開口部中心を通る左右方向中心線Ｘを挟んで、相対的に上方側に位置する指先挿入半空間９Ａと、相対的に下方側に位置する指先挿入半空間９Ｂとによって構成された空間で、これら各々の指先挿入半空間９Ａ、９Ｂは左右方向中心線Ｘの方向であってかつ互い違いの方向に所定距離だけ偏倚させながら形成されている。図示例では、上側に位置する指先挿入半空間９Ａを縦方向中心線Ｙから左方側にｅ１だけ偏倚させた位置に形成し、下側に位置する指先挿入半空間９Ｂを縦方向中心線Ｙから右方側にｅ２だけ偏倚させた位置に形成し、両者によって構成される指先挿入空間９が平面視で反時計回り方向に回転させた斜め方向の空間となっている。このような斜め方向に沿って前記指先挿入空間９を形成することにより、右手の人差し指と親指との相対的位置関係を整合するようになるため、指先を挿入し易くなっている。
【００３３】
以上、本発明に係るウェットティッシュ取出口５の一例について詳述したが、前記ウェットティッシュ取出し口５は本発明の趣旨を逸脱しない範囲で種々の変更が可能である。たとえば図３に示されるウェットティッシュ取出口５Ａは、前記フラップ７Ａ、７Ｂに代えて、穴付き矩形板状のフラップ７Ｃ、７Ｄとした例であり、図４に示されるウェットティッシュ取出口５Ｂは、前記フラップ７Ａ、７Ｂを丁度反対向きとし、水平方向のＬ字部分が内方側を向くようにフラップ７Ｅ、７Ｆを形成した例である。さらに図５に示されるウェットティッシュ取出口５Ｃは１枚の舌片からなるフラップ８Ａ、８Ｂに代えて、隣接する２枚の舌片からなるフラップ８Ｃ、８Ｄとした例であり、水分量が相対的に多いウェットティッシュやミシン目を所定間隔で有する連続シート状ウェットティッシュなどに適するようにしたものである。
【００３４】
前述の形態例群はすべて、ウェットティッシュへの接触係合部分７ａ、８ａが相対向することはもちろんであるが、フラップ自体も相対向するように設けた例である。図６に示されるウェットティッシュ取出口５Ｄの例のように、ウェットティッシュへの接触係合部分７ａ、８ａが相対向する関係にあれば、一方側のフラップ７Ｇ、７Ｈは横方向から延設させて形成してもよい。
【００３５】
以上詳説したウェットティッシュ取出口５〜５Ｄを有する収容容器において、使用者は、ウェットティッシュの重畳構造や引出し方向に関係なく、ウェットティッシュ取出口５…から突出しているウェットティッシュの部分を摘んで１枚づつ良好に、かつ最後の１枚まで良好に取り出しできるようになる。
【００３６】
また、本発明に係るウェットティッシュ取出口５〜５Ｄの場合には、ウェットティッシュの取出し方向がどのような方向であっても、常に同じ引出し抵抗力を与えることができる。したがって、その点からすると、ウェットティッシュの重畳構造としては、図８に示される常に引き出されるウェットティッシュが同じ折り畳み断面となるウェットティッシュ重畳構造に対して好適に適用できるのはもちろんのこと、図７に示される重畳構造、図９に示される重畳構造および図１０に示される重畳構造のように、取り出す度毎にウェットティッシュの折り畳み断面形状が交互に対称形となるなど、各ウェットティッシュの上部側折り畳み部分の折り返し方向が手前側方向のものと向側方向のものとが混在している重畳構造であっても、常に良好なウェットティッシュの引出しを保証し得るものとなる。
【００３７】
【発明の効果】
以上詳説のとおり本発明に係るウェットティッシュ取出口構造によれば、ウェットティッシュの引出しに方向性を有しない形状となっているため、ウェットティッシュの重畳構造や引出し方向に拘わらず、常に良好な引出しを可能とする。
【００３８】
また、指先挿入空間も右手の親指と人差し指とが挿入し易いように、斜め方向に沿って形成してあるため、万が一、ウェットティッシュが容器内に没入した場合であっても、取出口から指先を挿入してウェットティッシュを容易に取り出すことができるようになる。
【図面の簡単な説明】
【図１】本発明に係るウェットティッシュ取出口構造を有するウェットティッシュ収容容器１の斜視図である。
【図２】ウェットティッシュ取出口５の平面図である。
【図３】ウェットティッシュ取出口５の他例（その１）を示す平面図である。
【図４】ウェットティッシュ取出口５の他例（その２）を示す平面図である。
【図５】ウェットティッシュ取出口５の他例（その３）を示す平面図である。
【図６】ウェットティッシュ取出口５の他例（その４）を示す平面図である。
【図７】ウェットティッシュの第１の重畳構造を示す折り畳み状態図である。
【図８】ウェットティッシュの第２の重畳構造を示す折り畳み状態図である。
【図９】ウェットティッシュの第３の重畳構造を示す折り畳み状態図である。
【図１０】ウェットティッシュの第４の重畳構造を示す折り畳み状態図である。
【図１１】従来のウェットティッシュ取出口構造を示す容器平面図である。
【符号の説明】
１…ウェットティッシュ収容容器、２…ウェットティッシュ容器本体、３…底蓋、４…蓋体、５…取出口、６…中蓋板、７Ａ〜７Ｈ…フラップ、８Ａ〜８Ｄ…フラップ、７ａ・８ａ…接触係合部分、Ｘ…左右方向中心線、Ｙ…縦方向中心線、Ｏ…開口部中心点
【図１】
0004606662.tif 000002
【図２】
0004606662.tif 000003
【図３】
0004606662.tif 000004
【図４】
0004606662.tif 000005
【図５】
0004606662.tif 000006
【図６】
0004606662.tif 000007
【図７】
0004606662.tif 000008
【図８】
0004606662.tif 000009
【図９】
0004606662.tif 000010
【図１０】
0004606662.tif 000011
【図１１】
0004606662.tif 000012